(57)【特許請求の範囲】
【請求項１】
フレームと、フレームとの間に設けられた回動軸を支点に回動可能なサブフレームと、フレームに固定され底面に複数肥料落下口を設けたホッパーと、ホッパー底面に摺動して肥料落下口を開閉可能なシャッター板と、シャッター板を走行方向左右に摺動させるようにシャッター板と係脱自在に係合される回動アームと、回動アームを回動させるシャッター板開閉手段とを有し、
回動アームはサブフレームに設けられており、
サブフレームは、フレームに回動軸を支点に回動可能に軸支されてホッパー底面に対して上下方向の接近離隔が可能であることを特徴とする肥料等の散布機。
【請求項２】
サブフレームが、回動軸とは反対側方向へ突出するハンドルを設けるとともに、ハンドルはフレームに固定されて立設されるガイド部の上下方向に設けたガイド溝に沿って移動可能に設け、ガイド溝の上方位置と下方位置に設けられるハンドル保持部に保持可能である請求項１に記載の肥料等の散布機。
【発明の詳細な説明】
【技術分野】
【０００１】
この発明は、トラクタの後部に装着して圃場に石灰等の土壌改良材や化学肥料等を散布するライムソワー、すなわち肥料等の散布機に関する。詳細には肥料を落下させて散布するタイプの肥料等の散布機に関する。この明細書、特許請求の範囲、要約書において使用する「肥料」という単語は、石灰等の土壌改良材、化学肥料、その他の有機肥料を含む意味で使用する。
【背景技術】
【０００２】
肥料等の散布機は、トラクタの後部に装着されて牽引されつつ圃場に石灰等の土壌改良材や化学肥料等を散布する装置であり、一般的にホッパー等に入れた石灰等の土壌改良材や化学肥料を、ホッパー底面に設けられた孔から圃場に落下させていた。
【０００３】
通常ホッパー本体の底面に設けられた多数の散布孔と、その底面とスライド可能で多数のスライド孔を有するスライド板を設け、ホッパー底面の散布孔とスライド板のスライド孔を合致させることにより石灰等の土壌改良材の散布が可能になり、又散布孔をスライド板面で狭くしたり塞ぐことにより散布量を変化させたり散布を停止させていた。
【０００４】
そして、ホッパーやホッパー底板の下方に位置するシャッター板を開閉する機構などはフレームに固定されており、フレームがホッパー下部にも設けられている構成であった。例えば、実公平４−５３２２８号公報（従来技術１）には、「機枠に固定されるホッパと、該ホッパの底部に穿設された肥料落下口を開閉するためのシャッタープレートと、該シャッタープレートをレバーを介して上記のホッパの長手方向に摺動させる操作棒を備えた肥料散布機において、上記レバーのシャッタープレート側と連結するアーム部分を、それの操作棒側と連結するアーム部分に対し水平従属回動で、且つ上下独立回動となるよう上下回動枢軸により連結し、上記シャッタープレートとレバーとを着脱自在に構成したことを特徴とする肥料散布機」の開示がある。
【０００５】
また、実公平５−４１６０９号公報（従来技術２）には、「ホッパーａと、左右のシャッター３ａ、３ｂと、各別に作動アーム４ａ、４ｂを連繋し、それら作動アームを各別に作動させる左右のシフトアーム６ａ、６ｂと、操作杆ｄ、規制板ｇ、規制板ｇに設けられる左右及び中央のガイド溝７ａ、７ｂ、７ｃ」等を有する肥料散布機の記載があり、ホッパーａは、取付け機枠ｂに固定されている。
【０００６】
更に、特開平１１−１２７６４７号公報（従来技術３）の肥料散布機には、「フレーム１、ホッパー２、底板７の固定散布孔８、左右のシャッター板１０ＬＲの可動散布孔１１、操作レバー３等」を有し、ホッパー２は、フレーム１に固定されて取付けられており、図１のようにホッパー２の底板下方にもフレーム１が配設されている。
【特許文献１】実公平４−５３２２８号公報（従来技術１）
【特許文献２】実公平５−４１６０９号公報（従来技術２）
【特許文献３】特開平１１−１２７６４７号公報（従来技術３）
【発明の開示】
【発明が解決しようとする課題】
【０００７】
従来技術１乃至３には、フレーム、ホッパー及びホッパー底板の下方に位置するシャッタープレートを開閉するアーム機構などが設けられている肥料散布機の開示がある。しかし従来技術ではホッパー、シャッター板、シャッター板を移動させる機構などがフレームに固定して設けられているため、ホッパー底板の下方に大きな空間が取れず、シャッター板とホッパー底板の間に溜まる肥料等の清掃作業が行い難いという課題があった。
【０００８】
更に、同様な理由でシャッター板の取り外し作業や、ホッパー底板の取り外し作業が容易に行われないという課題があった。
【課題を解決するための手段】
【０００９】
上記課題を解決するため、フレームと、フレームとの間に設けられた回動軸を支点に回動可能なサブフレームと、フレームに固定され底面に複数肥料落下口を設けたホッパーと、ホッパー底面に摺動して肥料落下口を開閉可能なシャッター板と、シャッター板を走行方向左右に摺動させるようにシャッター板と係脱自在に係合される回動アームと、回動アームを回動させるシャッター板開閉手段とを有し、
回動アームはサブフレームに設けられており、
サブフレームは、フレームに回動軸を支点に回動可能に軸支されてホッパー底面に対して上下方向の接近離隔が可能であることを特徴とする肥料等の散布機を提案する。
【００１０】
サブフレームが、回動軸とは反対側方向へ突出するハンドルを設けるとともに、ハンドルはフレームに固定されて立設されるガイド部の上下方向に設けたガイド溝に沿って移動可能に設け、ガイド溝の上方位置と下方位置に設けられるハンドル保持部に保持可能である０００９欄に記載の肥料等の散布機を提案する。
【発明の効果】
【００１１】
この発明によれば、回動アームがサブフレームに設けられており、サブフレームは、フレームに回動軸を支点に回動可能に軸支されてホッパー底面に対して上下方向の接近離隔が可能であるため、サブフレームを下方に回動させホッパー底面と離隔させることにより、ホッパーの下方のサブフレームに設けられている装置や部材を移動させて広い空間を作れるため、シャッター板とホッパー底板の間に溜まる肥料等の清掃作業や、シャッター板の取り外し作業や、ホッパー底板の取り外し作業が非常に行い易くなった。
【００１２】
また、請求項２に係る肥料等の散布機では、サブフレームに設けられているハンドルと、そのハンドルをガイドするガイド部によって、よりスムースにサブフレームの回動開放作業が容易に行われるという効果がある。そしてガイド溝が、その上方位置と下方位置にハンドル保持部を設けているため、サブフレーム回動開放状態では下方位置の保持部にハンドルを保持させ、サブフレーム閉鎖状態では上方位置の保持部にハンドルを保持させることができ、回動開放状態でのハンドルを作業者が保たないですむと同時に閉鎖時には上方位置で保持することができる。加えて、従来のような分解用の工具の必要がなくなり、保守点検、メンテナンスが非常に容易になった。
【発明を実施するための最良の形態】
【００１３】
この発明の一つの実施形態について図１乃至図７に基づいて説明する。図１はこの発明の実施形態の肥料散布機を走行機側から見た一部切欠正面図、図２は同じく側面図でありハンドルを上ハンドル保持部に位置させてサブフレームを上方の位置で保持し、ホッパー底板は閉鎖した状態を示し、図３は同じく側面切欠図でありハンドルを下ハンドル保持部に位置させてサブフレーム及びホッパー底板を回動して開放させた状態を示す。図４は図１のＡ矢視図、図５は同じくサブフレームを示す一部切欠背面図、図６は同じくシャッター板の閉鎖状態を示す底面図、図７は同じくシャッター板の開放状態を示す底面図である。
【００１４】
この発明の一つの実施形態に係る肥料等の散布機は、図示しないトラクタ等の走行機の後部に装着可能なフレーム１と、フレーム１との間に設けられたサブフレーム回動軸７０を支点に回動可能なサブフレーム７と、フレーム１に固定され底面２１に複数肥料落下口２２を設けたホッパー２と、ホッパー底面２１に摺動して肥料落下口２２を開閉可能な左右分割される２つのシャッター板３ａ、３ｂと、それぞれのシャッター板３ａ、３ｂを走行方向左右に摺動させるようにシャッター板３と係脱自在に係合される左右の回動アーム４ａ、４ｂと、操縦席から操作可能位置に回動アーム４を回動させるシャッター板開閉手段５と、切換え部材６とを有する。
【００１５】
フレーム１は、ロアピン１０、トップリンク１１によってトラクタ等の走行車に装着され、入力軸１２、伝動ケース１３を介してトラクタ等の走行車から動力が伝動され、ホッパー２の内部下部に設けられるアジテータ２５を回転させる。
【００１６】
サブフレーム７は、フレーム１に水平方向に設けられている回動軸７０を支点に回動可能に軸支されており、回動させてホッパー底面２１に対して上下方向の接近離隔が可能である。
【００１７】
又、サブフレーム７は、回動軸７０とは反対側方向へ突出するハンドル７１を設けている。ハンドル７１は、その基部側でフレーム１のハンドル横回動軸７４に横方向には回動自在で上下方向に固定されて設けられるとともに、先端側は立設されるガイド部７２に係合されている。
【００１８】
ガイド部７２は、上下方向にガイド溝７３を設けている。ガイド溝７３は、ほぼ上下逆Ｌ字形に形成するとともに、上部水平部の端部を下方へやや凹ませた上ハンドル保持部７３０を形成しており、上下真っ直ぐの溝の下端部を下ハンドル保持部７３１として形成する。ガイド溝７３に、ハンドル７１を移動可能に設けており、ハンドル７１はガイド溝７３の上方位置にある上ハンドル保持部７３０と下方位置にある下ハンドル保持部７３１に保持可能である。
【００１９】
ホッパー２は、底面２１が走行方向に直交な長手方向を有し、上面に開閉自在なホッパーカバー２３を設けた箱状体であり肥料等の被散布物を収納する。ホッパー底面２１は、底面回動軸２４を支点に回動して開閉可能であり、多数の肥料落下口２２を長手方向に直線上に設けている。肥料落下口２２の口形状は、シャッター板３の散布口３０との重なり状態で散布量が調整できる幅広から順次幅狭になる口形状である。
【００２０】
シャッター板３（３ａ、３ｂ）は、左右２つの細長い板状体からなり、ホッパー底面２１の下面に接して長手方向中央で分割され、それぞれ摺動可能である。シャッター板３は、長手方向に亘って複数の長方形の散布口３０を直線状に設ける。左右それぞれのシャッター板３ａ、３ｂの中央側に下方に突出する係合突起３１ａ、３１ｂを設けている。係合突起３１は、シャッター板３に固定された棒部３１０と、棒部３１０に回動可能に設けられるローラ部３１１からなる。
【００２１】
回動アーム４は、右回動アーム４ａと左回動アーム４ｂとの２つの部材から成り、それぞれ回動板４０ａ、４０ｂとシャッター板係合部４１ａ、４１ｂとからなるとともに互いの一端同士を連結ロッド４２によって連結される。左右の回動板４０ａ、４０ｂは、それぞれフレーム１本体に固定されているフレームボス１４に各アーム回動軸４３ａ、４３ｂによって回動自在に取り付けられている。左右のアーム回動軸４３ａ、４３ｂは、左右の右シャッター板３ａ、３ｂの中央側で係合突起３１ａ、３１ｂの近傍に配設される。
【００２２】
各シャッター板係合部４１ａ、４１ｂは、シャッター板３ａ、３ｂの下方に突設された係合突起３１ａ、３１ｂのそれぞれを左右両側から挟持するような左右挟持部４１０、４１１からなるコ字状体であり、左右の挟持部４１０、４１１のどちらか一つが上下に回動可能であり、他の一つが回動板４０に固定されている。各シャッター板係合部４１ａ、４１ｂは、それぞれのシャッター板３ａ、３ｂが、その散布口３０をホッパー底面２１の肥料落下口２２を開口する摺動方向側に回動可能な回動挟持部４１１を配設し、ホッパー底面２１の肥料落下口２２を閉鎖する摺動方向側に回動板４０に固定されている固定挟持部４１０を設けている。回動挟持部４１１は、切換え手段６の切換えレバー６０に連通している切換えケーブルワイヤ６１に接続しており、図４に示すように挟持部回動軸４１２を中心に下方へ回動可能である。挟持部回動軸４１２には、戻し用コイルバネ４１３を設けており回動挟持部４１１を上方に回動するように付勢している。
【００２３】
シャッター板開閉手段５は、操縦席から操作可能位置に配設されるシャッター板開閉レバー５０とリンクロッド５１とからなる。シャッター板開閉レバー５０は、フレーム１にレバー回動軸５２によって回動自在に取り付けられており、その先端でリンクロッド５１の一端と回動自在に連結している。リンクロッド５１は、他の端部で１つの回動アーム４、この実施例では右回動アーム４ａの回動板４０ａに回動自在に連結している。
【００２４】
切換え手段６は、操縦席から操作可能位置に配設される左右２つの切換えレバー６０、６０と２本のケーブルワイヤ６１、６１とからなり、それぞれのケーブルワイヤ６１、６１は、切換えレバー６０、６０に一端部で接続し逆端部でそれぞれのシャッター板係合部４１ａ、４１ｂの回動挟持部４１１に接続部４１４で回動自在に接続している。
【００２５】
各切換え手段６は、各切換えレバー６０を操作により、各シャッター板係合部４１ａ、４１ｂの回動挟持部４１１を戻り用コイルバネ４１３の付勢力に抗して下方に回動させることができ、その状態ではシャッター板開閉レバー５０を操作して回動アーム４を回動させても、シャッター板３は肥料落下口２２を開口する方向に摺動しない。また逆に切換えレバー６０を戻す操作を行うことにより、シャッター板係合部４１ａ、４１ｂの回動挟持部４１１を戻り用コイルバネ４１３の付勢力によって上方に回動させることができ、固定挟持部４１０と回動挟持部４１１によってシャッター板３の係合突起３１を両側から挟持する。その状態でシャッター板開閉レバー５０を操作し回動アーム４を回動させると、シャッター板３は肥料落下口２２を開口する方向に摺動可能となる。
【００２６】
次に、この発明の実施形態の作動について説明する。サブフレーム７は、後述する通常の肥料等の散布作業においては、図２に示すようにハンドル７１を上ハンドル保持部７３０に位置させてサブフレーム７を上方の位置で保持しており、フレーム１に固定されている。この状態では、ホッパー底面２１は、ホッパー２の底部に固定されている。
【００２７】
これに対して、ホッパー底板２１やシャッター板３の間に溜まりやすい肥料等の清掃作業、ホッパー２の底板２１下方にある部材の維持管理を行うためには、サブフレーム７をフレーム１に水平方向に設けられている回動軸７０を支点に回動させてホッパー底板２１に対して下方向で離隔させる必要がある。サブフレーム７は、回動支点である回動軸７０とは反対側方向へ突出するハンドル７１を設けており、通常の肥料等の散布作業においては、図２に示すようにハンドル７１は上ハンドル保持部７３０に位置されている。
【００２８】
作業者は、ハンドル７１の取っ手を持ち、上ハンドル保持部７３０に係合されていたハンドル７１を、最初にガイド溝７３の上部水平部を横方向に移動させる。この横方向の移動は、ハンドル横回動軸７４を支点とする回動によって可能である。更に、ガイド溝７３の上下方向の溝を下端にある下ハンドル保持部７３１まで下降移動させることによりサブフレーム７を回動軸７０を支点に下方へ回動させることができ、ハンドル７１は下ハンドル保持部７３１に配置される。（図３参照）。
【００２９】
この作業により、サブフレーム７は、図３に示すように回動軸７０を支点に回動されてホッパー底板２１に対して下方向に離隔させ、ポッパー２の底板下方側に広い作業空間を作ることができる。この状態では、サブフレーム７に設けられている回動アーム４、シャッター板３及びポッパー２の底板２１も底面回動軸２４を軸心として回動して開放される。
【００３０】
次に、サブフレーム７が、通常の肥料等の散布作業の場合のように上方に固定されて設けられている状態で行う操作について説明する。操縦席から操作可能位置に設けてある切換えレバー６０、６０の両方、あるいは左右の片方を操作して、シャッター板係合部４１ａ、４１ｂの回動挟持部４１１を下方に回動させた位置にするか、あるいは固定挟持部４１０と対する位置においてシャッター板３ａ、３ｂの係合突起３１ａ、３１ｂを挟持するかを選択する。
【００３１】
シャッター板係合部４１の回動挟持部４１１を下方にした状態であると、回動挟持部４１１が係合突起３１に作用しないため、シャッター板開閉手段５を作動させて、図６のように回動リンク４ａ、４ｂを図面右周りに回動させてもシャッター板３ａ、３ｂは右方向に移動しない。そのため、シャッター板３の散布口３０がホッパー底面２１の肥料落下口２２の位置に重なることがなく、肥料の散布は防止される。したがって、左右どちらかの切換えレバー６０のみを作用させて、一方のシャッター板係合部４１の回動挟持部４１１を下方にすると、シャッター板開閉手段５を作動させても、その側のシャッター板３は移動せず逆側のみ半分の散布となる。
【００３２】
逆にシャッター板係合部４１の回動挟持部４１１を固定挟持部４１０と対する位置においてシャッター板３ａ、３ｂの係合突起３１ａ、３１ｂを挟持した状態でシャッター板開閉手段５を作動させて、図６のように回動リンク４ａ、４ｂを図面右周りに回動させるとシャッター板３ａ、３ｂは右方向に移動して、散布口３０がホッパー底面２１の肥料落下口２２の位置に重なる状態になり、その開口から肥料は散布される。
【産業上の利用可能性】
【００３３】
この発明は、圃場への肥料等の散布機に利用する価値が高い。
【図面の簡単な説明】
【００３４】
【図１】この発明の実施形態の肥料散布機を走行機側から見た一部切欠正面図
【図２】同じく側面図でありハンドルを上ハンドル保持部に位置させてサブフレームを上方の位置で保持し、ホッパー底板は閉鎖した状態を示す
【図３】同じく側面切欠図でありハンドルを下ハンドル保持部に位置させてサブフレーム及びホッパー底板を回動して開放させた状態を示す
【図４】図１のＡ矢視拡大図
【図５】同じくサブフレームを示す一部切欠背面図
【図６】同じくシャッター板の閉鎖状態を示す底面図
【図７】同じくシャッター板の開放状態を示す底面図
【符号の説明】
【００３５】
１  フレーム
１０  ロアピン
１１  トップリンク
１２  入力軸
１３  伝動ケース
１４  フレームボス
２  ホッパー
２０  ホッパー本体
２１  ホッパー底面
２２  肥料落下口
２３  ホッパーカバー
２４  底面回動軸
２５  アジテーター
３  シャッター板
３０  散布口
３１  係合突起
３１０  棒部
３１１  ローラ部
４（４ａ、４ｂ）  回動アーム
４０（４０ａ、４０ｂ）  回動板
４１（４１ａ、４１ｂ）  シャッター板係合部
４１０  固定挟持部
４１１  回動挟持部
４１２  挟持部回動軸
４１３  戻り用コイルバネ
４１４  接続部
４２  連結ロッド
４３（４３ａ、４３ｂ）  アーム回動軸
５  シャッター板開閉手段
５０  シャッター板開閉レバー
５１  リンクロッド
５２  レバー回動軸
６  切換え手段
６０  切換えレバー
６１  ケーブルワイヤ  
７  サブフレーム
７０  サブフレーム回動軸
７１  ハンドル
７２  ガイド部
７３  ガイド溝
７３０  上ハンドル保持部
７３１  下ハンドル保持部
７４  ハンドル横回動軸
【図１】
0004617490.tif 000002
【図２】
0004617490.tif 000003
【図３】
0004617490.tif 000004
【図４】
0004617490.tif 000005
【図５】
0004617490.tif 000006
【図６】
0004617490.tif 000007
【図７】
0004617490.tif 000008